(57)【要約】      （修正有）【課題】クリップ係止機構を備える筆記用具を迅速に識別して取り出し、あるいは使用済の筆記用具を所定位置に容易にかつ大量に収納することができる筆記用具立てを提供する。【解決手段】上面が解放され、底面が封鎖され、上端に複数の筆記用具挿入部２４が等間隔で設けられ、複数の筆記用具挿入部２４それぞれに連結し凹部２６が筆記用具係止筒２０の外周に下方に向けて設けられた筆記用具係止筒２０と、筆記用具係止筒２０を支持する台座１０と、を有し、クリップ機構を備える筆記用具３０のクリップ部３２を前記筆記用具係止筒２０の内部に挿入し、筆記用具３０の本体を筆記用具係止筒外周の凹部２６に係止して保持するメリーゴーランド型筆記用具立てを提供する。【選択図】図５
2019093663.tif 000002
【特許請求の範囲】
【請求項１】
台座と、前記台座から上方に突設されて底面が封鎖された筆記用具係止筒と、を有し、
前記筆記用具係止筒の上端に複数の筆記用具挿入部が設けられ、
前記筆記用具係止筒の外周に複数の凹部が前記筆記用具挿入部それぞれに連結して下方に向けて設けられ、
クリップ機構を備える筆記用具のクリップ部を、前記筆記用具挿入部から前記筆記用具係止筒の内部に挿入し、前記筆記用具の本体を前記筆記用具係止筒外周の凹部に係止して保持することを特徴とするメリーゴーランド型筆記用具立て。
【請求項２】
前記筆記用具係止筒は、円筒形であって、前記台座から上方に突設され、更に前記台座と前記筆記用具係止筒の中心とを回転自在に連結する連結手段を有することを特徴とする請求項１に記載のメリーゴーランド型筆記用具立て。
【請求項３】
前記筆記用具挿入部は、前記筆記用具係止筒の上端縁部の一部の厚さを他の部分より薄くして形成され、隣接する前記凹部と凹部の間に分離帯が更に形成されることを特徴とする請求項１又は２に記載のメリーゴーランド型筆記用具立て。
【請求項４】
前記筆記用具係止筒は、上端が波型に形成され、前記波型の谷の部分に筆記用具挿入部が形成されることを特徴とする請求項１又は２に記載のメリーゴーランド型筆記用具立て。
【請求項５】
前記筆記具係止筒の内部には、更に文具小物入れが設けられることを特徴とする請求項１乃至４の何れか１項に記載のメリーゴーランド型筆記用具立て。
【請求項６】
前記台座は、固定手段を有し、取付位置に固定して設置されることを特徴とする請求項１乃至５の何れか１項に記載のメリーゴーランド型筆記用具立て。
【請求項７】
前記筆記用具係止筒は、外側面に少なくとも１つの平面が形成され、該平面が固定手段を備えた台座に連結され、前記固定手段が磁石であって、前記筆記用具係止筒が前記台座を介して、強磁性体に吸着されて保持されることを特徴とする請求項１に記載のメリーゴーランド型筆記用具立て。
【発明の詳細な説明】
【技術分野】
【０００１】
本発明は、メリーゴーランド型筆記用具立に係り、より詳しくは、クリップ係止機構を備える複数の筆記用具を、円形の筆記用具係止筒の外周に整然と美しく展示し、複数の筆記用具の中から使用目的に合う筆記用具を迅速に選び出し、あるは使用済の筆記用具を容易に収納することができるメリーゴーランド型筆記用具立てに関する。
【背景技術】
【０００２】
近年、太さや色の異なるフェルトペン、マーカーペン、サインペンなどが用いられるようになり、その種類と数量とが大幅に増えた。しかも、近年の筆記用具には、携帯に便利なようにクリップ機構を備えるものが多くなっている。
【０００３】
ここで、クリップ機構を備える筆記用具は、胸ポケットへの挿入が便利なように略同じ大きさに作られ外装がデザインされているので、使用目的の筆記用具がどこにあるのか判別しにくくなってきている。
更に近年は、卓上の文具小物として、物差し、糊、太めのマーカーペン、カッターナイフ、ホッチキス、ハサミなども加わって、その種類と数が増加し、これらの文具小物も筆記用具と一緒に卓上で使用されることが多くなった。
【０００４】
一方、従来からの卓上の筆記用具、文具、小物を収納するものとして、ペン皿やペン立てがあるが、これらは、多様な筆記用具、文具小物を瞬時に見分けるのが困難であると共に、取り出しにくく、収納しにくくなってきている。更に従来の筆記用具収納器具では収納量が不足して、結局、筆記用具が卓上に散乱してしまうようなことがあり、作業能率の低下の原因にもなっていた。
かかる状況において、大量の多様な筆記用具の中から目的の筆記用具を容易に識別し、取出し、また収納することができる筆記用具立てを提供することが求められていた。
【０００５】
一方、筆記用具のクリップ機構を利用して筆記用具を収容する卓上小物立てが開示されている（例えば特許文献１を参照）。
しかし、特許文献１に記載された卓上小物立ては、角柱形で４面を透明シートで構成してその内部に筆記用具等を収納したものであって、ある一面に沿って収納された筆記用具は容易に識別できるものの、透明シート面を順次に回して見分けなければならず、全体から目的の筆記用具容易に見分けて取り出すという本願発明の課題を達成するには不十分なものであった。
【０００６】
また、特許文献１に記載された卓上小物立ては、クリップ機構を利用して筆記用具等を卓上小物立ての内部に収納するものであって、目的の筆記用具を取り出すのに、目的以外の筆記用具と干渉することがあり、また、反対側の面や中心付近に収納された筆記用具等を見分けるのは困難であった。
【先行技術文献】
【特許文献】
【０００７】
【特許文献１】特開２００３−２３７２８６号公報
【発明の概要】
【発明が解決しようとする課題】
【０００８】
本発明は、かかる課題を解決するためになされたものであって、クリップ係止機構を備える多数の筆記用具を、円形の筆記用具係止筒の外周に、デザイン性良く整然と収容し展示して、目的の筆記用具類を迅速に識別して取り出し、あるいは使い終わった筆記用具を大量に、あるいは所定位置に容易に収納することができる、メリーゴーランド型筆記用具立てを提供することを課題とする。
【０００９】
更に本発明筆記用具立ては、使用者が対面する方向はもとより、使用者から見て裏側などの方向からでも、全体から目的の筆記用具容易に見分けて取り出せるようにしたことを特徴とする。
更にまた、本発明の筆記用具立ては、台座が占有する面積に比較して収納可能な筆記用具立ての数が増加した筆記用具立てを提供することを課題とする。
【課題を解決するための手段】
【００１０】
かかる課題を解決するための本発明のメリーゴーランド型筆記用具立ては、台座と、該台座から上方に突設され底面が封鎖された筆記用具係止筒と、を有し、筆記用具係止筒の上端に複数の筆記用具挿入部が設けられ、筆記用具係止筒の外周に複数の凹部が筆記用具挿入部それぞれに連結して下方に向けて設けられ、クリップ機構を備える筆記用具のクリップ部を筆記用具挿入部から筆記用具係止筒の内部に挿入し、筆記用具の本体を筆記用具係止筒外周の凹部に係止して保持することを特徴とする。
【００１１】
前記筆記用具係止筒は、円筒形であって、前記台座から上方に突設され、更に台座と筆記用具係止筒の中心とを回転自在に連結する連結手段を有することが好ましい。
前記筆記用具挿入部は、筆記用具係止筒の上端縁部の一部の厚さを他の部分より薄くして形成され、隣接する凹部と凹部の間に分離帯が更に形成されることができる。
【００１２】
前記筆記用具係止筒は、上端が波型に形成され、波型の谷の部分に筆記用具挿入部が形成されることが好ましい。
前記筆記具係止筒の内部には、更に文具小物入れが設けられることが好ましい。
前記台座は、固定手段を有し、取付位置に固定して設置されることができる。
【００１３】
前記筆記用具係止筒は、外側面に少なくとも１つの平面が形成され、該平面が固定手段を備えた台座に連結され、該固定手段が磁石であって、筆記用具係止筒が台座を介して強磁性体に吸着されて保持されることを特徴とする。
【発明の効果】
【００１４】
本発明のメリーゴーランド型筆記用具立ては、クリップ係止機構を備える多数の筆記用具のクリップ部を筆記用具係止筒の内部に挿入し、本体部分を筆記用具係止筒の外周にデザイン性良く整然と収容して展示することによって、使用目的の筆記用具類を迅速に識別して取り出し、あるいは使用済の筆記用具を所定位置に容易に収納することができる。
【００１５】
また、本願の一実施例の筆記用具立ては、筆記用具係止筒が円筒形であって台座から上方に突設され、台座及び前記筆記用具係止筒の中心を回転自在に連結する連結手段を有することによって、筆記用具立てのどちらの方向からでも目的とする筆記用具を迅速に識別して取出し、使用後の筆記用具を迅速に収納することができ、更にデザイン性にも優れている。
【００１６】
また、本発明の筆記用具係止筒は、複数の筆記用具挿入部が、筆記用具係止筒の上端の縁部を薄くして形成され、又は筆記用具挿入部が波型に形成された端部の谷の部分に等間隔に形成されるので、筆記用具のクリップ部分を容易に挿入ができ、筆記用具の本体部分を筆記用具係止筒の外周部分に容易に係止することができる。
【００１７】
また、本発明の筆記用具係止筒の外周部には、凹部が、等間隔で設けられた筆記用具挿入部に連結して筆記用具係止筒の外周の下方に向けて設けられるので、筆記用具を安定且つ整然と保持することができる。
更に、凹部と凹部の間に分離帯が形成されて筆記用具本体部分の記載が見やすくなっているので、筆記用具を容易に識別できる、筆記用具が容易に収納及び取り出しできる、及びデザイン性が良いという特徴を有する。
【００１８】
また、本発明の筆記用具立係止筒は、内部に文具小物入れが設けられるので、クリップ部を有していない文具小物を収容することができ、筆記用具立ての収容量を更に増加させることができる。
また、台座が固定手段を有し、筆記用具立てを取付位置に固定して設置することにより、筆記用具を収納及び取り出し易くすることができると共に、台座を小型化して台座の専有面積を小さくすることができる。
【００１９】
更に、本願の他の実施例の筆記用具立ては、台座を筆記用具係止筒の側方に設け、固定手段として磁石を設けたことによって、強磁性体面、例えば電気冷蔵庫、スチールボード、スチールロッカー等の壁面に吸着させて固定することができるので、使い勝手がよく、また筆記用具立ての専有面積を減らすことができる。
【図面の簡単な説明】
【００２０】
【図１】本発明の型筆記用具立ての概要を示す平面図である。
【図２】図１のａ−ａ線に沿った断面図である。
【図３】円形の１２本掛け筆記用具係止筒に筆記用具を係止した状態の上面図である。
【図４】円形の１６本掛け筆記用具係止筒に筆記用具を係止した状態の上面図である。
【図５】本発明の１実施例のメリーゴーランド型筆記用具立ての斜視図である。
【図６】本発明の他の実施例のメリーゴーランド型筆記用具立ての縦断面図である。
【発明を実施するための形態】
【００２１】
以下に、添付図面を参照して本発明の実施形態を詳細に説明する。
図１は、本発明の１実施形態のメリーゴーランド型筆記用具立ての概要を示す平面図であり、図２は図１のａ−ａ線に沿った縦断面図である。図１には、最大１２本の筆記用具を収納できる円筒形のメリーゴーランド型筆記用具立ての平面図を例示したが、筆記用具係止筒の平面形状は、多角形を含め任意の形状であることができ、収納する本数も、１２本に限られるものではない。
【００２２】
図１、２に示すように本発明のメリーゴーランド型筆記用具立て１は、台座１０と筆記用具係止筒２０と、台座１０及び前記筆記用具係止筒２０を連結する連結手段４０と、を有することができる。なお、台座１０と筆記用具係止筒２０とは、連結手段４０を介さず一体に形成することもできる。
【００２３】
筆記用具係止筒２０は、上面が解放され底面２２を有する筒であって、上端に複数の筆記用具挿入部２４が所定間隔を置いて設けられ、筆記用具挿入部２４それぞれから筆記用具係止筒２０の下方に向けて凹部２６が設けられ、隣接する凹部２６と凹部２６の間に分離帯２８が形成される事が好ましい。分離帯２８は、隣接する筆記用具３０の間に所定の間隔を開けて筆記用具３０同士が干渉するのを防ぐと共に、係止された筆記用具３０の側面の記載を見分けやすくすると共に、筆記用具を取り出し易くすることができる。
【００２４】
本発明は、クリップ機構を備えた筆記用具３０のクリップ部３２を、筆記用具挿入部２４の上方から筆記用具係止筒２０の内側に挿入し、筆記用具本体部分３３を筆記用具係止筒２０の外周の凹部２６に係止して筆記用具３０を保持することを特徴とする。
【００２５】
筆記用具挿入部２４の形状は、筆記用具３０のクリップ部３２を容易に挿入できるものであれば特に制限されないが、例えば筆記用具係止筒２０の上端の縁部を他の部分より薄くして形成することができる。
また、筆記用具挿入部２４の他の例として、筆記用具係止筒２０の上端を波型に形成して、波型の谷の部分を筆記用具挿入部２４とすることもできる。更に波型の谷の部分を薄く形成して筆記用具挿入部２４とすることがより好ましい。
【００２６】
また本発明のメリーゴーランド型筆記用具立て１は、筆記用具係止筒２０の内部に文具小物入れ３４を設け、収容した文具小物とクリップ部３２との干渉を防ぐ中間リング３６を設けることができる。
本発明の台座１０は、筆記用具係止筒２０に筆記用具３０を挿入する場合、及び取り出す場合に筆記用具係止筒２０を安定に支持し、本発明の目的に適うものであれば特に制限されないが、好ましくは、所定の底面積及び重量を有するものが好ましい。
一方、本発明の台座１０は、図示しない固定手段を有して使用場所に固定されることができる。
【００２７】
固定手段は、本発明の目的に適うものであれば何れのものでも使用できるが、好ましい実例としては、予め取付場所に設けられたもの、釘、ねじ、ボルトとナット、接着剤、及びクランプ機構を有するもの、並びに磁石と強磁性体の組み合わせによるものを挙げることができる。
【００２８】
図３は、円形の１２本掛け筆記用具係止筒に筆記用具３０を係止した状態の上面図であり、図４は円形の１６本掛け筆記用具係止筒に筆記用具３０を係止した状態の上面図である。
図３、４に示すように、本発明のメリーゴーランド型筆記用具立て１は、記用具係止筒２０の外周に筆記用具３０を係止して収納することを特徴とする。
【００２９】
例えば、筆記用具３０の外形を１０〜１２ｍｍとし、筆記用具３０相互の間隔を３〜５ｍｍと仮定した場合に、図３に示すように、１２本かけ筆記用具係止筒の直径Ｄ１２は、４０〜６０ｍｍであり、筆記用具３０を含めたメリーゴーランド型筆記用具立て１の直径（Ｗ１２）は６０〜７０ｍｍである。また、図４に示すように、１６本掛け筆記用具係止筒の場合は、筆記用具係止筒２０の直径Ｄ１６は６０〜７０ｍｍであり、筆記用具３０を含めたメリーゴーランド型筆記用具立て１の直径Ｗ１６は８０〜９０ｍｍである。
【００３０】
更に、直径３０ｍｍの筆記用具係止筒は約７本の筆記用具を収容することができ、直径４０ｍｍの筆記用具係止筒は約９本の筆記用具を収容することができる。
上記のように、筆記用具を筆記用具係止筒の外周部に係止することによって、小さな筆記用具係止筒で大量の筆記用具を係止することができる。
【００３１】
更に、筆記用具係止筒２０の外周と筆記用具の大きさを含めたメリーゴーランド型筆記用具立て１の外周との間の部分、即ち係止された筆記用具３０の下の部分は作業スペースとして使用することが可能あって、メリーゴーランド型筆記用具立て１を固定することによって、相対的にメリーゴーランド型筆記用具立て１の専有スペースを更に減らすことができる。
【００３２】
図５は、本発明の１実施例のメリーゴーランド型筆記用具立ての斜視図である。
図５に示すように、本発明の１実施例のメリーゴーランド型筆記用具立て１は、上面が解放され、底面２２が封鎖され、上端に複数の筆記用具挿入部２４が所定間隔を置いて設けられた円筒形の筆記用具係止筒２０と、台座１０と、筆記用具係止筒２０の底面２２の中心及び台座１０を回転自在に連結する連結手段４０と、を備えることを特徴とする。
【００３３】
筆記用具係止筒２０の上端は波型に形成され、波型の谷の部分を薄く形成して筆記用具挿入部２４とし、筆記用具挿入部２４それぞれから筆記用具係止筒２０の外周の下方に向けて凹部２６が設けられ、隣接する凹部２６と凹部２６の間に丸みと厚さとを有する分離帯２８が形成される事が好ましい。クリップ機構を備えた筆記用具３０のクリップ部３２を筆記用具挿入部２４の上方から筆記用具係止筒２０の内測に挿入し、筆記用具本体部分３３を筆記用具係止筒２０の外周の凹部２６に係止して筆記用具３０を保持することができる。
【００３４】
図６は、本発明の他の実施形態に係るメリーゴーランド型筆記用具立ての縦断面図である。
図６に示すように、本発明の他の実施例に係るメリーゴーランド型筆記用具立て１は、強磁性体に表装を施した取り付け面１２に磁石１４を吸着させて設置するものであって、磁石１４を備えた台座１０と、台座１０と結合する面を有し、上面が解放され、底面が封鎖され、上端に複数の筆記用具挿入部２４が所定間隔を置いて設けられた筆記用具係止筒２０とを有することを特徴とする。
【００３５】
ここで、強磁性体は、磁石に吸着されるものであればいずれのものでも支障ないが、好ましい実例として鉄、ステンレススチール、及びニッケルをあげることができる。具体例として、例えば電気冷蔵庫、スチールボード、スチールロッカー、及び鉄製の玄関扉を挙げることができる。
また、磁石は、型筆記用具立を支える強度を有するものであれば特に制限されないが、好ましい例としてフェライト磁石及びネオジム磁石を挙げることができる。
【００３６】
本発明の第２実施例の筆記用具係止筒２０の平面形状は、特に制限されないが、例えば四角形、三角形、弓形等であることができ、クリップ部３２との干渉を避ける中間壁３８を設けてその内部に文具小物入れ３４を設けることができる。
以上、本発明に関する好ましい実施形態を説明したが、本発明は前記実施形態に限定されず、本発明の属する技術範囲を逸脱しない範囲での全ての変更が含まれる。
【符号の説明】
【００３７】
１      タワー型筆記用具立て
１０      台座
１２      取り付け面
１４      磁石
２０      筆記用具係止筒
２２      底面
２４      筆記用具挿入部
２６      凹部
２８      分離帯
３０      筆記用具
３２      クリップ部
３３      本体部分
３４      文具小物入れ
３６      中間リング
３８      中間壁
４０      連結手段
【図１】
2019093663.tif 000003
【図２】
2019093663.tif 000004
【図３】
2019093663.tif 000005
【図４】
2019093663.tif 000006
【図５】
2019093663.tif 000007
【図６】
2019093663.tif 000008
【手続補正書】
【提出日】平成30年2月9日(2018.2.9)
【手続補正１】
【補正対象書類名】特許請求の範囲
【補正対象項目名】請求項５
【補正方法】変更
【補正の内容】
【請求項５】
前記筆記用具係止筒の内部には、更に文具小物入れが設けられることを特徴とする請求項１乃至４の何れか１項に記載のメリーゴーランド型筆記用具立て。
【手続補正２】
【補正対象書類名】明細書
【補正対象項目名】００１２
【補正方法】変更
【補正の内容】
【００１２】
前記筆記用具係止筒は、上端が波型に形成され、波型の谷の部分に筆記用具挿入部が形成されることが好ましい。
前記筆記用具係止筒の内部には、更に文具小物入れが設けられることが好ましい。
前記台座は、固定手段を有し、取付位置に固定して設置されることができる。